(57)【要約】 【課題】子供や女性、お年寄りなど力のない人でも簡単に開けることができ、またプルリングの変形による開けづらさも解消される、プラスチックのプルタブを開ける器具を提供する。【解決手段】引き抜き板６、７の引っ掛けツメ１０、１１をプルタブのプルリング２３に簡単に挿入できる形状とし、プルタブのプルリング２３を拡張ピン５によって押しげられた状態を保つことができ、また引っ掛けツメ１０、１１が互いに向き合い円形となっているためリングの変形を防止しプルリング２３が伸ばされることがなくなる。よって、その余分な力（プルリング２３が伸ばされる力）が抑えられ引き抜く力が軽減される。また、プルタブ開栓器具を使うことで指だけの力から手全体の力を使うことになり、より簡単にプルタブを開栓できる。【選択図】  図７
2011037452.tif 000002
【特許請求の範囲】
【請求項１】
手で把持される長手形状のグリップと、前記グリップの中央より端部側であって、長手方向に直交する方向に、互いに向き合って固定した２枚の引き抜き板と、前記引き抜き板の間に貫通穴をあけ、前記貫通穴に挿入したスライド棒と、前記スライド棒の一端に固定したボタンと、前記スライド棒の他端であって、前記引き抜き板側に固定されており、前記ボタンを押したときに前記引き抜き板の先端の間隔を拡張する拡張ピンと、前記グリップと前記ボタンの間を拡張するために前記スライド棒に装着された押しバネから成るプルタブ開栓器具。
【請求項２】
前記グリップを手で把持したとき、前記引き抜き板の指の当たる部分に保護部を設けたことを特徴とする請求項１記載のプルタブ開栓器具。
【請求項３】
前記引き抜き板の先端に複数の引っ掛けツメを設けたことを特徴とする請求項１または２記載のプルタブ開栓器具。
【請求項４】
前記引き抜き板の前記保護部の下を互いに近づけるように折り曲げ、前記引っ掛けツメ側の間隔を狭めたことを特徴とする請求項１〜３いずれか１項に記載のプルタブ開栓器具。
【請求項５】
前記引き抜き板を指で挟む方向と、前記引き抜き板が拡張する方向が異なるように前記グリップに前記引き抜き板を固定したことを特徴とする請求項１〜４いずれか１項に記載のプルタブ開栓器具。
【請求項６】
互いに向き合った前記引き抜き板に設けられた複数の前記引っ掛けツメが円状に並ぶように折り曲げられたことを特徴とする請求項１〜５いずれか１項に記載のプルタブ開栓器具。
【請求項７】
前記ボタンを押して引き抜き板を拡張しているときに、前記拡張ピンが互いに向き合った前記引き抜き板の前記引っ掛けツメ側の間隔を保持することを特徴とする請求項１〜６いずれか１項に記載のプルタブ開栓器具。
【請求項８】
プルタブのプルリングに引っ掛けるための前記引っ掛けツメが先端に設けられており、隣接して設けられている複数の引き抜き手段で、前記引き抜き手段の前記引っ掛けツメを前記プルリングに引っ掛けた後に、前記引き抜き手段の間隔を拡大するための拡大手段で、前記拡大手段による前記引き抜き手段の間隔の拡大の後に、前記引き抜き手段を前記プルタブから引き離す引き離し手段を設けたことを特徴とするプルタブ開栓器具。
【発明の詳細な説明】
【技術分野】
【０００１】
この発明は様々な容器の注ぎ口に用いられるプラスチックのプルリングのついたプルタブを開けるための器具に関するものである。
【背景技術】
【０００２】
プラスチックのプルリングのついたプルタブを開けるとき、人差し指または小指をプルリングの中に入れ、引き抜いて開けている。また指が入らないときは、指より細く丈夫なもの、例えば箸やフォークなどで代用している。
【発明の概要】
【発明が解決しようとする課題】
【０００３】
プルタブのプルリングの大きさや形状の違いにより、人差し指または小指がプルリングに入れづらく開けづらい。
【０００４】
指以外のもの、例えば箸やフォークなどで開けようとするが、プルタブのプルリングを部分的に引っ張り伸ばしてしまい、プルリングが切れてしまうものもある。
【０００５】
またプルタブの材質の違いにより、プルリングを引き抜くときの力が一定でなく、子供や女性、お年寄りなど力のない人が簡単に指で開けることができない。
【課題を解決するための手段】
【０００６】
本発明はこのような従来の問題を解決しようとするもので、プルタブのプルリングを簡単に開けることができるプルタブ開栓器具を提供することを目的とするものである。
【０００７】
本発明は、手で把持される長手形状のグリップと、前記グリップの中央より端部側であって、長手方向に直交する方向に、互いに向き合って固定した２枚の引き抜き板と、前記引き抜き板の間に貫通穴をあけ、前記貫通穴に挿入したスライド棒と、前記スライド棒の一端に固定したボタンと、前記スライド棒の他端であって、前記引き抜き板側に固定されており、前記ボタンを押したときに前記引き抜き板の先端の間隔を拡張する拡張ピンと、前記グリップと前記ボタンの間を拡張するために前記スライド棒に装着された押しバネから成ることを特徴とする請求項１記載のプルタブ開栓器具である。
【０００８】
また、プルタブを引き抜くとき、前記グリップを把持しながら前記グリップを引き上げるときに前記引き抜き板のエッジに指を圧迫することとなる。その対策として前記グリップを手で把持したとき、前記引き抜き板の指の当たる部分に保護部を設けたことを特徴とする請求項２記載のプルタブ開栓器具であり指に痛みを与えない構造となっている。
【０００９】
また、前記引き抜き板の先端に複数の引っ掛けツメを設けたことを特徴とする請求項３記載のプルタブ開栓器具であり、前記プルタブの栓の部分とプルリングをつなぐ連結部がどの位置にあっても前記引っ掛けツメどうしの間隔を前記連結部の幅より広くとることにより、前記プルタブの前記連結部の位置を考えずに挿入することができ、複数の前記引っ掛けツメが前記プルリングを複数箇所でしっかりと引っ掛け引き抜くことができる。
【００１０】
また、前記引き抜き板の前記保護部の下を互いに近づけるように折り曲げ、前記引っ掛けツメ側の間隔を狭めたことを特徴とする請求項４記載のプルタブ開栓器具であり、前記プルリングに前記引っ掛けツメを簡単に挿入できる。また保護部の下を折り曲げないタイプも考えられ、前記保護部の下を指でつまんで前記引っ掛けツメの間隔を狭めながら前記プルリングに挿入する。
【００１１】
また、プルタブ開栓器具を前記プルリングに挿入し、前記グリップを把持しながら前記ボタンが押されることで前記拡張ピンが前記引っ掛けツメ側に押し下げられるとき、前記引き抜き板を指で挟む方向と、前記引き抜き板が拡張する方向が異なるように前記グリップに前記引き抜き板を固定したことを特徴とする請求項５記載のプルタブ開栓器具であり、前記引き抜き板が指で圧迫されず内側に押されないため前記拡張ピンがスムーズに動く。
【００１２】
また、前記プルタブの前記プルリングを引き抜くとき、互いに向き合った前記引き抜き板に設けられた複数の前記引っ掛けツメが円状に並ぶように折り曲げられたことを特徴とする請求項６記載のプルタブ開栓器具であり、前記プルリングの円の形を保つことができ、また前記ボタンを押して引き抜き板を拡張しているときに、前記拡張ピンが互いに向き合った前記引き抜き板の前記引っ掛けツメ側の間隔を保持することを特徴とする請求項７記載のプルタブ開栓器具であり、前記プルリングを引っ張るとき前記プルリングが内側に変形し一部分が伸びて切れることもなく前記プルリングの円形を保ちながら全体的に引っ張ることができ、プルタブを開栓することができる。
【００１３】
また、請求項８記載のプルタブ開栓器具である。
【発明の効果】
【００１４】
プルタブのプルリングの中に指をいれなくとも、誰でも開けられるようになった。
【００１５】
また、プルタブ開栓器具を使うことにより複数のツメが拡張されたまま複数箇所を同時に引くことができるようになり、プルタブのプルリングの部分的な伸びが抑えられプルリングが切れることはなくなった。
【００１６】
また、プルタブ開栓器具を使うことで引き抜くときの力が指だけの力から手全体の力となり、子供や女性、お年寄りなど力のない人でもかんたんに開けることができるようになった。
【図面の簡単な説明】
【００１７】
【図１】プルタブ開栓器具の正面図。
【図２】図１に示すプルタブ開栓器具の右側面図。
【図３】図２に示すプルタブ開栓器具の下面図。
【図４】プルタブが使用されている容器の図。
【図５】プルタブ開栓器具をプルタブのプルリングに挿入した状態の斜視図。
【図６】プルタブ開栓器具のツメの間隔が広げられた状態の正面図。
【図７】プルタブ開栓器具でプルタブの栓が開いた状態の部分斜視図。
【図８】プルタブを細い棒などで引き上げる状態の図。
【図９】図１に示すプルタブ開栓器具の別タイプで、引き抜き板がストレートタイプのプルタブ開栓器具の正面図。
【図１０】図９に示すプルタブ開栓器具の右側面図。
【図１１】図１０に示すプルタブ開栓器具の下面図。
【図１２】引き抜き板がストレートタイプのプルタブ開栓器具をプルタブのプルリングに挿入した状態の斜視図。
【図１３】引き抜き板がストレートタイプのプルタブ開栓器具のツメの開きを保持する状態の正面図。
【図１４】引き抜き板がストレートタイプのプルタブ開栓器具でプルタブの栓が開いた状態の部分斜視図。
【発明を実施するための形態】
【００１８】
図１に示されるように、プルタブ開栓器具は手で握られるグリップ１に、引き抜き板６、７の上端を固定し、引き抜き板６、７の他端は、外側にコの字またはＵの字に折り返した引っ掛けツメ１０、１１を有するものであり、隣接して設けられている複数の引き抜き手段である。
【００１９】
引き抜き板６、７のグリップ１側には、引き抜き板の指の当たる部分を内側に折り返した保護部８、９を形成しグリップ１を手で握ったときに指が引き抜き板６、７のエッジ部にあたるときの痛みを与えなくさせる保護部分となる。
【００２０】
グリップ１には貫通穴１２を設け貫通穴１２を通るスライド棒３が挿入されている。スライド棒３にはグリップ１に固定された引き抜き板６、７側に貫通穴１２の穴径より大きい外径の拡張ピン５が固定され、反対側の上部にはボタン２が固定されている。拡張ピン５はスライド棒３のグリップ１からの抜け止めとなる。貫通穴１２の上側（ボタン２側）は押しバネ４の外径より少し大きな穴径のバネ受け穴１３となっている。グリップ１とボタン２の間のスライド棒３には、グリップ１のバネ受け穴１３の穴底部（貫通穴１２の上側）からボタン２のボディ１側まで押しバネ４が装着されグリップ１とボタン２の間を拡張させる力を備えている。ボタン２が押されていないときは、拡張ピン５はグリップ１に押し付けられている。この押しバネ４は子供でも無理なく楽にボタン２を押すことができる弾性力である。押しバネ４はピアノ線やステンレスなどの丸線バネである。
【００２１】
また引き抜き板６、７は、保護部８、９の下、引っ掛けツメ１０、１１側を互いに内側に曲げ引っ掛けツメ１０、１１の間隔を狭めている。
【００２２】
引き抜き板６、７はバネ性、耐久性のある金属が望ましいが、バネ性、耐久性を備えていれば合成樹脂でもかまわない。グリップ１、ボタン２、スライド棒３、拡張ピン５は材質を問わない。
【００２３】
図２は図１に示すプルタブ開栓器具の右側面図である。引き抜き板６、７（７は図面上６の裏側）は手で握られる長手形状のグリップ１に、中央より端部側であって、長手方向に直交する方向にその上端を固定している。またグリップ１を握るとき、前記引き抜き板を指で挟む方向と、前記引き抜き板が拡張する方向が異なるようにグリップ１に引き抜き板６、７が固定されている。引っ掛けツメ１０は間に切り欠けを設け２つに分かれている。図中には記されていないが引っ掛けツメ１１も２つに分かれ、４つのツメがそれぞれ独立してバネ性を持ちながら作用する。
【００２４】
図３に示されるように、引っ掛けツメ１０、１１は互いに向き合い全体として円形となるように折り曲げた形状となっている。
【００２５】
図４はプルタブが使用されている容器の図である。容器２０は例として紙パックのものを記したが、瓶や樹脂性のものにも多く使用されている。注ぎ口２１の内側にあるプルリング２３を引き上げると連結部２２でつながる密封された栓２４がはがされ容器２０内の液体を外に注ぐことができる。
【００２６】
次に、動作について説明する。プルタブ開栓器具を使用するときは、図５に示されるように引き抜き板６、７の引っ掛けツメ１０、１１をプルタブのプルリング２３内に挿入する。引っ掛けツメ１０、１１の合わせた大きさはプルタブのプルリング２３の内径より小さくなっているのでスムーズに入る。
【００２７】
図６ではプルタブのリング２３に引っ掛けツメ１０、１１を挿入した後ボタン２を押すと、スライド棒３で連結された引き抜き板６、７の引っ掛けツメ１０、１１側を拡張する拡張ピン５が押し下げられ、引き抜き板６、７の引っ掛けツメ１０、１１側の内側部分にあたり、引っ掛けツメ１０、１１部分が外側に拡張されプルリング２３に引っ掛けることができる。
【００２８】
引っ掛けツメ１０、１１は４箇所に分かれており、プルタブの栓２４とプルリング２３をつなぐ連結部２２がどの方向にあってもプルリング２３に引っ掛けやすい形状になっている。
【００２９】
図６の状態からグリップ１を手で握りボタン２を押し続けながらプルタブ開栓器具を上方に引き上げた状態を図７に示す。拡張ピン５によって引き抜き板６、７の引っ掛けツメ１０、１１部分の間隔が拡張され開いた状態を保持し、プルタブのプルリング２３の形状を固定しながら上方に引き上げることにより開栓する。また引っ掛けツメ１０、１１が互いに向き合って円形となるように折り曲げてあることでプルリング２３の形状をできるだけ円に保持し、プルリング２３全体を引き上げることによって特定部分が伸びることを抑えてある。
【００３０】
プルリング２３から引っ掛けツメ１０、１１をはずす引き離し手段は、図６の状態からボタン２を押すことをやめれば拡張ピン５は装着された押しバネ４（図６では押しバネ４は省略されている）によって元の位置に戻り、引き抜き板６、７はバネ性のため拡張ピン５によって押し広げられた状態からボタン２が押される前の状態に戻り引っ掛けツメ１０、１１の互いの間隔も狭まり、プルリング２３から引っ掛けツメ１０、１１を外すことができる。
【００３１】
指以外のものを使ってプルタブを開けようとする図を図８に示す。プルリング２３に棒２５を入れて引き抜こうとすると、プルリング２３を部分的に伸ばしてしまう。プルタブの材質によってはプルリング２３が部分的に伸びて切れてしまうこともある。
【００３２】
次に図９に示されるストレートタイプのプルタブ開栓器具について説明する。手で握られるグリップ１に引き抜き板１４、１５の上端を固定し、引き抜き板１４、１５の他端は、外側にコの字またはＵの字に折り返した引っ掛けツメ１８、１９を有するものであり、隣接して設けられている複数の引き抜き手段である。
【００３３】
引き抜き板１４、１５のグリップ１側には、引き抜き板の指の当たる部分を内側に折り返した保護部１６、１７を形成しグリップ１を手で握ったときに指が引き抜き板１４、１５のエッジ部にあたるときの痛みを与えなくさせる保護部分となる。
【００３４】
グリップ１には貫通穴１２を設け貫通穴１２を通るスライド棒３が挿入されている。スライド棒３にはグリップ１に固定された引き抜き板１４、１５側に貫通穴１２の穴径より大きい外径の拡張ピン５が固定され、反対側の上部にはボタン２が固定されている。拡張ピン５はスライド棒３のグリップ１からの抜け止めとなる。貫通穴１２の上側（ボタン２側）は押しバネ４の外径より少し大きな穴径のバネ受け穴１３となっている。グリップ１とボタン２の間のスライド棒３には、グリップ１のバネ受け穴１３の穴底部（貫通穴１２の上側）からボタン２のボディ１側まで押しバネ４が装着されグリップ１とボタン２の間を拡張させる力を備えている。ボタン２が押されていないときは、拡張ピン５はグリップ１に押し付けられている。この押しバネ４は子供でも無理なく楽にボタン２を押すことができる弾性力である。押しバネ４はピアノ線やステンレスなどの丸線バネである。
【００３５】
ストレートタイプのプルタブ開栓器具は、引き抜き板１４、１５の保護部１６、１７の下側（引っ掛けツメ１８、１９側）を互いに内側に曲げていなく図１に示されるプルタブ開栓器具とは使い方に若干違いがあるが、効果は同じである。
【００３６】
引き抜き板１４、１５はバネ性、耐久性のある金属が望ましいが、バネ性、耐久性を備えていれば合成樹脂でもかまわない。グリップ１、ボタン２、スライド棒３、拡張ピン５は材質を問わない。
【００３７】
図１０はストレートタイプのプルタブ開栓器具の右側面図である。引き抜き板１４、１５（１５は図面上１４の裏側）は手で握られる長手形状のグリップ１に、中央より端部側であって、長手方向に直交する方向にその上端を固定している。またグリップ１を握るとき、前記引き抜き板を指で挟む方向と、前記引き抜き板が拡張する方向が異なるようにグリップ１に引き抜き板１４、１５が固定されている。引っ掛けツメ１８は間に切り欠けを設け２つに分かれている。図中には記されていないが引っ掛けツメ１９も２つに分かれ、４つのツメがそれぞれ独立してバネ性を持ちながら作用する。
【００３８】
図１１に示されるように、引っ掛けツメ１８、１９は互いに向き合い全体として円形となるように折り曲げた形状となっている。
【００３９】
ストレートタイプの開栓器具を使用するときは、図１２に示すように引き抜き板１４、１５の保護部１６、１７の下と引っ掛けツメ１８、１９の間を指でつまんでプルタブのプルリング２３に引っ掛けツメ１８、１９を挿入する。指でつまんだ状態では、引っ掛けツメ１８、１９の合わせた大きさはプルタブのプルリング２３の内径より小さくなっているのでスムーズに入る。引き抜き板１４、１５のバネ性のためにつまんだ指をはずせば引っ掛けツメ１８、１９が外側に広げられプルリング２３に引っ掛かる。
【００４０】
引っ掛けツメ１８、１９は４箇所に分かれており、プルタブの栓２４とプルリング２３をつなぐ連結部２２がどの方向にあってもプルリング２３に引っ掛けやすい形状になっている。
【００４１】
図１３ではプルタブのプルリング２３に引っ掛けツメ１８、１９を挿入した後ボタン２を押すと、スライド棒３で連結された引き抜き板１４、１５の引っ掛けツメ１８、１９側を拡張する拡張ピン５が押し下げられ、引き抜き板１４、１５の引っ掛けツメ１８、１９側の内側部分にあたる。引き抜き板１４、１５はバネ性のためプルリング２３を外側に押し広げているので、拡張ピン５は引っ掛けツメ１８、１９の間隔を広げていることを保持することとなる。
【００４２】
図１３の状態からグリップ１を手で握りボタン２を押し続けながらプルタブ開栓器具を上方に引き上げた状態を図１４に示す。拡張ピン５によって引き抜き板１４、１５の引っ掛けツメ１８、１９部分の間隔が拡張され開いた状態を保持し、プルタブのプルリング２３の形状を固定しながら上方に引き上げることにより開栓する。また引っ掛けツメ１８、１９が互いに向き合って円形となるように折り曲げてあることでプルリング２３の形状をできるだけ円に保持し、プルリング２３全体を引き上げることによって特定部分が伸びることを抑えてある。
【００４３】
プルリング２３から引っ掛けツメ１８、１９をはずす時は、再び引き抜き金具１４、１５の保護部１６、１７の下と引っ掛けツメ１８、１９の間を指でつまんで引っ掛けツメ１８、１９部分の間隔を狭くしてはずす。
【００４４】
以上のように、この発明のプルタブ開栓器具は２パターンが考えられ、拡張ピン５によって引っ掛けツメ１０、１１（または１８、１９）が押し広げられた状態を保ち、引っ掛けツメ１０、１１（または１８、１９）は互いに円形となるように折り曲げた形状となっているのでプルタブのプルリング２３を円形に保ちプルリング２３が部分的に伸びることがなく、しっかりと引っ掛けツメ１０、１１（または１８、１９）でプルリング２３を全体的に引っ掛け引き抜くことができる。プルリング２３が伸ばされる力があまりかからなく、また指を使わず手全体の力で引き抜くため、力のない子供や女性、お年寄りでもプルタブの栓を簡単にはがし開栓することができる。
【符号の説明】
【００４５】
１      グリップ
２      ボタン
３      スライド棒
４     押しバネ
５      拡張ピン
６      引き抜き板
７      引き抜き板
８      保護部
９      保護部
１０   引っ掛けツメ
１１   引っ掛けツメ
１２  貫通穴
１３  バネ受け穴
１４  引き抜き板
１５  引き抜き板
１６  保護部
１７  保護部
１８  引っ掛けツメ
１９  引っ掛けツメ
２０  容器
２１  注ぎ口
２２  連結部
２３  プルリング
２４  栓
２５  棒
【図５】
2011037452.tif 000003
【図１】
2011037452.tif 000004
【図２】
2011037452.tif 000005
【図３】
2011037452.tif 000006
【図４】
2011037452.tif 000007
【図６】
2011037452.tif 000008
【図７】
2011037452.tif 000009
【図８】
2011037452.tif 000010
【図９】
2011037452.tif 000011
【図１０】
2011037452.tif 000012
【図１１】
2011037452.tif 000013
【図１２】
2011037452.tif 000014
【図１３】
2011037452.tif 000015
【図１４】
2011037452.tif 000016